(57)【要約】  本発明の一実施形態に係る化粧品容器が提供される。前記容器は、化粧料が搭載される化粧料ホルダーと；使用者からの回転力が印加される回転体と；前記回転体の回転により昇降しながら化粧料の露出を調整する昇降部材と；前記回転体が回転可能に結合し、前記回転体の回転時、前記昇降部材の回転を防止して前記昇降部材の垂直方向の移動をガイドする昇降ガイド部材と；下端が前記回転体の内側に配置され、上端が前記化粧料ホルダーと結合して、前記化粧料ホルダーを支持するホルダーガイド部材と；を含み、前記ホルダーガイド部材は、前記回転体の回転とは独立して配置されており、前記回転体の回転時、前記化粧料ホルダー及び前記化粧料の回転を防止することができる。【選択図】  図１
2021522947.tif 000002
【特許請求の範囲】
【請求項１】
化粧品容器であって、
化粧料が搭載される化粧料ホルダーと；
使用者からの回転力が印加される回転体と；
前記回転体の回転により昇降しながら化粧料の露出を調整する昇降部材と；
前記回転体が回転可能に結合し、前記回転体の回転時、前記昇降部材の回転を防止して前記昇降部材の垂直方向の移動をガイドする昇降ガイド部材と；
下端が前記回転体の内側に配置され、上端が前記化粧料ホルダーと結合して、前記化粧料ホルダーを支持するホルダーガイド部材と；
を含み、
前記ホルダーガイド部材は、前記回転体の回転とは独立して配置されており、前記回転体の回転時、前記化粧料ホルダー及び前記化粧料の回転を防止する、化粧品容器。
【請求項２】
前記化粧料は、上側端部に傾斜面が形成される口紅化粧料であり、前記昇降部材は、上側端部の開放穴に、前記口紅化粧料の傾斜面に対応する傾斜面が形成される、請求項１に記載の化粧品容器。
【請求項３】
前記回転体の回転時に、前記昇降ガイド部材は、前記昇降部材の回転を防止し、前記昇降部材は、前記ホルダーガイド部材の回転を防止する、請求項１に記載の前化粧品容器。
【請求項４】
前記回転体の内周面と前記昇降部材の外周面とには、互いに対応するネジ山が形成されて互いに螺合する、請求項３に記載の化粧品容器。
【請求項５】
前記昇降部材は、内側に前記ホルダーガイド部材が挿入され、外周面に前記ネジ山が形成されるガイド管と、前記ガイド管から上方に延設されて前記化粧料を収容する化粧料収容管と、を含む、請求項４に記載の化粧品容器。
【請求項６】
前記昇降ガイド部材は、前記昇降部材が挿入されて昇降する非円形（ｎｏｎ−ｃｉｒｃｕｌａｒ）の貫通穴を含み、前記ガイド管は、前記貫通穴に対応するように形成されることにより、前記昇降ガイド部材に対する前記ガイド管の回転が防止される、請求項５に記載の化粧品容器。
【請求項７】
前記ホルダーガイド部材は、前記回転体の内側底面に配置される支持部と、前記化粧品容器の長手方向に延設されて前記化粧料ホルダーと結合する延長部と、を含む、請求項３に記載の化粧品容器。
【請求項８】
前記昇降部材は、ホルダーガイド部材の前記延長部に挿入される非円形の貫通穴を含み、前記延長部は、前記貫通穴に対応するように形成されることにより、前記ホルダーガイド部材に対する前記昇降部材の回転が防止される、請求項７に記載の化粧品容器。
【請求項９】
前記ホルダーガイド部材の前記延長部の端部には、前記化粧料ホルダーと着脱可能に結合する結合部が形成され、
前記結合部の外側面には、前記化粧品容器の長手方向に少なくとも１つの突起が形成され、前記結合部と結合する前記化粧料ホルダーの端部内側には、前記突起に対応する溝が形成されることで、前記化粧料ホルダーの回転を防止する、請求項７に記載の化粧品容器。
【請求項１０】
前記回転体は、使用者からの回転力が印加され、内側に収容空間が形成される外容器と；前記外容器の内側に配置され、前記外容器から伝達される回転力を受けて前記外容器と共に回転し、内周面にネジ山が形成される内容器と；を含む、請求項７に記載の化粧品容器。
【請求項１１】
前記外容器の内側面には、前記化粧品容器の長手方向に少なくとも１つの溝が形成され、前記内容器の外側面には、前記溝に対応する突起が形成されることで、前記外容器と前記内容器とが共に回転するようになる、請求項１０に記載の化粧品容器。
【請求項１２】
前記ホルダーガイド部材の支持部が前記外容器の内側底面に密着配置され、前記内容器が前記外容器の内側に結合すると、前記内容器の下側端部が前記支持部を加圧して前記ホルダーガイド部材の離脱を防止する、請求項１０に記載の化粧品容器。
【請求項１３】
前記化粧料を覆いながら前記回転体に着脱可能に結合する蓋部を含む、請求項１に記載の化粧品容器。
【発明の詳細な説明】
【技術分野】
【０００１】
本発明は、化粧品容器に係り、さらに詳しくは、容器の回転に伴って化粧料が固定された状態で化粧料の露出度を調整することのできる化粧品容器に関する。
【背景技術】
【０００２】
一般に、口紅（リップスティック：ｌｉｐｓｔｉｃｋ）は、女性のリップメイク（唇用化粧品）に使われる紅等のスティック化粧料を円筒形の容器から出し入れし、使用中にスティック化粧料を容器から引き出し、使用が終了するとスティック化粧料を容器内に入れて外部に露出することなく保管することができる。
【０００３】
従来の口紅は、蓋を開けてから、容器の下部にある回転体を回転させて固形のスティック化粧料を容器の外部に上昇または容器内に下降させるようにしたものである。例えば、口紅を使用する場合は、まず容器の蓋を開けた後、回転体を一方の方向に回転させてスティック化粧料を上昇させることにより外部に突出させ、使用後は、回転体を他方の方向（反対方向）に回転させてスティック化粧料を下降させることにより容器内に収容するようにした。
【０００４】
このような構成では、スティック化粧料そのものが昇降する必要があり、この点から、移動過程において、容器内の他の構成要素や外部に触れた時、口紅が破損したり、移ってついたりするという問題があった。
【０００５】
特に、容器の回転体を回転させると、スティック化粧料が回転しながら昇降することになり、この場合、スティック化粧料に回転負荷がかかることで、スティック化粧料を囲む周囲の構成要素に触れてスティック化粧料が破損するおそれがある。
【０００６】
また、スティック化粧料は、一般に、化粧料の塗布を容易にするために上端部が傾斜面になっており、スティック化粧料の回転により傾斜面の方向が変わるため、美観を損ね、スティック化粧料を外部に露出させた後、傾斜面を使用者に向けるために再度配置する必要があるという不便がある。
【０００７】
そこで、このような問題を解決できる化粧品容器が求められている。
【発明の概要】
【発明が解決しようとする課題】
【０００８】
本発明は、上記問題を解決するためのものであり、容器の回転に伴って化粧料が固定された状態で化粧料の露出度を調整することのできる化粧品容器を提供することをその目的とする。
【０００９】
本発明の技術的な課題は、上述した技術的な課題に何等制限されるものではなく、未言及の他の技術的な課題は、次の記載から当業者にとって明らかに理解できる筈である。
【課題を解決するための手段】
【００１０】
本発明の一実施形態に係る化粧品容器が提供される。前記容器は、化粧料が搭載される化粧料ホルダーと；使用者からの回転力が印加される回転体と；前記回転体の回転により昇降しながら化粧料の露出を調整する昇降部材と；前記回転体が回転可能に結合し、前記回転体の回転時、前記昇降部材の回転を防止して前記昇降部材の垂直方向の移動をガイドする昇降ガイド部材と；下端が前記回転体の内側に配置され、上端が前記化粧料ホルダーと結合して、前記化粧料ホルダーを支持するホルダーガイド部材と；を含み、前記ホルダーガイド部材は、前記回転体の回転とは独立して配置されており、前記回転体の回転時、前記化粧料ホルダー及び前記化粧料の回転を防止してもよい。
【００１１】
好ましくは、前記化粧料は、上側端部に傾斜面が形成される口紅化粧料であり、前記昇降部材は、上側端部の開放穴に、前記口紅化粧料の傾斜面に対応する傾斜面が形成されてもよい。
【００１２】
また、好ましくは、前記回転体の回転時に、前記昇降ガイド部材は、前記昇降部材の回転を防止し、前記昇降部材は、前記ホルダーガイド部材の回転を防止してもよい。
【００１３】
さらに、好ましくは、前記回転体の内周面と前記昇降部材の外周面とには、互いに対応するネジ山が形成されて互いに螺合してもよい。
【００１４】
さらにまた、好ましくは、前記昇降部材は、内側に前記ホルダーガイド部材が挿入され、外周面に前記第２ネジ山が形成されるガイド管と、前記ガイド管から上方に延設されて前記化粧料を収容する化粧料収容管と、を含んでいてもよい。
【００１５】
さらにまた、好ましくは、前記昇降ガイド部材は、前記昇降部材が挿入されて昇降する非円形（ｎｏｎ−ｃｉｒｃｕｌａｒ）の貫通穴を含み、前記ガイド管は、前記貫通穴に対応するように形成されることにより、前記昇降ガイド部材に対する前記ガイド管の回転が防止されてもよい。
【００１６】
さらにまた、好ましくは、前記ホルダーガイド部材は、前記回転体の内側底面に配置される支持部と、前記化粧品容器の長手方向に延設されて前記化粧料ホルダーと結合する延長部と、を含んでいてもよい。
【００１７】
さらにまた、好ましくは、前記昇降部材は、ホルダーガイド部材の前記延長部に挿入される非円形の貫通穴を含み、前記延長部は、前記貫通穴に対応するように形成されることにより、前記ホルダーガイド部材に対する前記昇降部材の回転が防止されてもよい。
【００１８】
さらにまた、好ましくは、前記ホルダーガイド部材の前記延長部の端部には、前記化粧料ホルダーと着脱可能に結合する結合部が形成され、前記結合部の外側面には、前記化粧品容器の長手方向に少なくとも１つの突起が形成され、前記結合部と結合する前記化粧料ホルダーの端部内側には、前記突起に対応する溝が形成されることで、前記化粧料ホルダーの回転を防止してもよい。
【００１９】
さらにまた、好ましくは、前記回転体は、使用者からの回転力が印加されて内側に収容空間が形成される外容器と；前記外容器の内側に配置され、前記外容器から伝達される回転力を受けて前記外容器と共に回転し、内周面にネジ山が形成される内容器と；を含んでいてもよい。
【００２０】
さらにまた、好ましくは、前記外容器の内側面には、前記化粧品容器の長手方向に少なくとも１つの溝が形成され、前記内容器の外側面には、前記溝に対応する突起が形成されることで、前記外容器と前記内容器とが共に回転するようになってもよい。
【００２１】
さらにまた、好ましくは、前記ホルダーガイド部材の支持部が前記外容器の内側底面に密着配置され、前記内容器が前記外容器の内側に結合すると、前記内容器の下側端部が前記支持部を加圧して前記ホルダーガイド部材の離脱を防止してもよい。
【００２２】
さらにまた、好ましくは、前記化粧料を覆いながら前記回転体に着脱可能に結合する蓋部を含んでいてもよい。
【発明の効果】
【００２３】
本発明によれば、回転体の回転方向に応じて化粧料を取り囲む昇降部材が昇降して化粧料の露出度を調整することができる。すなわち、化粧料の位置を固定した状態で保管及び使用することにより、化粧料の回転や移動によって化粧料が破損するなどの誤用を防ぐことができる。
【００２４】
また、本発明によれば、化粧料収容管の高さにより化粧料の残量を直感的に確認することが可能なので、使い勝手がよい。
【００２５】
また、本発明によれば、回転体が回転するとき、化粧品容器の他の構成要素（例えば、昇降部材、化粧料ホルダー、ホルダーガイド部材など）は、回転体の回転に連動しないようにして、化粧料を容器内により安定して配置することができる。
【００２６】
また、本発明によれば、回転体が回転しても化粧料及び昇降ガイド部材の両方が回転しないため、化粧料及び昇降ガイド部材の各端部に形成された傾斜面は、互いに対応する配置状態を維持することができる。
【図面の簡単な説明】
【００２７】
本発明の詳細な説明の欄において引用される図面をより十分に理解するために、各図面に関する簡単な説明が提供される。
【図１】本発明の一実施形態に係る化粧品容器の分解図である。
【図２】本発明の一実施形態に係る化粧品容器の斜視図である。
【図３】本発明の一実施形態に係る化粧品容器の断面図である。
【図４】本発明の一実施形態に係る化粧品容器の外容器を示す図である。
【図５】本発明の一実施形態に係る化粧品容器の内容器を示す図である。
【図６】本発明の一実施形態に係る化粧品容器の一部を示す図である。
【図７】本発明の一実施形態に係る化粧品容器の動作を示す図である。
【図８】図７に示される化粧品容器の断面図である。
【発明を実施するための形態】
【００２８】
以下、添付図面に基づき、本発明に係る実施形態について説明する。各図面の構成要素に参照符号を付するに当たって、同じ構成要素に対しては、たとえ異なる図面の上に示されているとしても、できる限り同じ符号を有するようにしていることに留意すべきである。また、本発明の実施形態について説明するに当たって、関連する公知の構成又は機能についての具体的な説明が本発明の実施形態への理解を妨げると認められる場合には、その詳細な説明は省略する。さらに、以下において、本発明の実施形態について説明するが、本発明の技術的思想はこれに何等限定又は制限されるものではなく、当業者によって変形されて種々に実施され得る。一方、以下に記載される便宜上の上下左右の方向は、図面を基準としたものであり、当該方向に本発明の権利範囲が必ずしも限定されることはない。
【００２９】
明細書の全般に亘って、ある部分が他の部分と「連結」されているとしたとき、これは、「直接的に連結」されている場合だけではなく、これらの間に他の素子を挟んで「間接的に連結」されている場合も含む。明細書の全般に亘って、ある部分がある構成要素を「含む」としたとき、これは、特に断りのない限り、他の構成要素を除外するものではなく、他の構成要素をさらに含んでいてもよいということを意味する。なお、本発明の実施形態の構成要素について説明するに当たって、第１、第２、Ａ、Ｂ、（ａ）、（ｂ）などの用語を使用することができる。これらの用語は、その構成要素を他の構成要素と区別するためのものに過ぎず、これらの用語によって当該構成要素の本質や順序又は順番などが限定されることはない。
【００３０】
図１は、本発明の一実施形態に係る化粧品容器の分解図であり、図２は、本発明の一実施形態に係る化粧品容器の斜視図であり、図３は、本発明の一実施形態に係る化粧品容器の断面図であり、図４は、本発明の一実施形態に係る化粧品容器の外容器を示す図であり、図５は、本発明の一実施形態に係る化粧品容器の内容器を示す図であり、図６は、本発明の一実施形態に係る化粧品容器の一部を示す図である。
【００３１】
ここで、図４の（ａ）は、外容器の正面図であり、図４の（ｂ）は、外容器の断面図であり、図５の（ａ）は、内容器の正面図であり、図5の（ｂ）は、内容器の断面図であり、図６の（ａ）は、化粧料ホルダーを示す図であり、図６の（ｂ）は、昇降部材を示す図であり、図６の（ｃ）は、昇降ガイド部材を示す図であり、図６の（ｄ）は、ホルダーガイド部材を示す図であり。
【００３２】
図１から図６を参照すると、化粧品容器は、化粧料ホルダー１００、回転体２００は、昇降部材３００は、昇降ガイド部材４００、ホルダーガイド部材５００及び蓋部６００とを含んでいてもよい。
【００３３】
化粧料ホルダー１００は、化粧品容器内で化粧料Ｃを搭載し、安定的に支持するためのものであり、上側には化粧料Ｃが安定的に搭載され、下側にはホルダーガイド部材５００と結合されてもよい。
【００３４】
具体的には、化粧料ホルダー１００は、上側には化粧料Ｃを搭載するための収容空間１１０が形成され、下側にはホルダーガイド部材５００と結合するための結合部１２０が形成されてもよい。結合部１２０の内側には、化粧品容器の長手方向に少なくとも１つの溝が形成され、化粧料ホルダー１００と結合するホルダーガイド部材５００の上側端部にも、結合部１２０の溝に対応する少なくとも１つの突起が形成されることにより、ホルダーガイド部材５００に対する化粧料ホルダー１００の回転を防止することができる。これにより、回転体２００の回転時にも、化粧料ホルダー１００は、ホルダーガイド部材５００と共に回転せず、化粧料Ｃの位置及び配置を維持することができる。
【００３５】
化粧料Ｃは、使用者の皮膚に塗布される固形または半固形化粧料Ｃであり、例えば、口紅化粧料（またはスティック状化粧料）であってもよい。化粧料Ｃの上側端部には、傾斜面が形成されており、化粧料Ｃが皮膚を効率よく且つ容易に塗布することができる。このとき、昇降部材３００の上側端部（特に、上側端部の開放穴）にも、化粧料Ｃの傾斜面に対応する傾斜面が形成されてもよい。昇降部材３００は、回転体２００の回転により回転するのではなく昇降するので、化粧料Ｃの傾斜面及び昇降部材の傾斜面が互いに対応する角度を維持した状態で昇降しながら化粧料Ｃの露出を調整することができる。
【００３６】
回転体２００は、使用者からの回転力が印加されて昇降ガイド部材４００に対して回転することで、昇降部材３００を昇降させることができる。また、回転体２００の内側底面側にはホルダーガイド部材５００が収容及び載置されており、化粧料ホルダー１００を安定して支持することができる。
【００３７】
具体的には、回転体２００は、外容器２１０と内容器２２０とを含んでいてもよい。外容器２１０は、使用者からの回転力が印加され、内側に収容空間が形成されてもよい。内容器２２０は、外容器２１０の内側に配置され、外容器２１０から伝達される回転力を受けて外容器２１０と共に回転することができる。
【００３８】
このために、内容器２２０の外側面には、化粧品容器の長手方向に少なくとも１つの溝２２１が形成され、外容器２１０の内側面には、溝２２１に対応する突起２１１が形成されて、互いに回転連動することができる。
【００３９】
外容器２１０の内側に載置される内容器２２０の離脱を防止するために、外容器２１０の内周面には、結合溝２１２が内周に沿って形成されてもよく、内容器２２０の外周面には、結合溝２１２に対応する結合突起２２２が外周に沿って形成されてもよい。また、ホルダーガイド部材５００は、回転体２００の底面、すなわち、外容器２１０の底面に配置される。上記のように外容器２１０と内容器２２０との結合により、内容器２２０が、外容器２１０の底面に載置されたホルダーガイド部材５００を加圧することにより、ホルダーガイド部材５００の離脱や遊動を防止することができる。
【００４０】
内容器２２０の内周面の少なくとも一部には、第１ネジ山２２３が形成されてもよく、昇降部材３００の外周面の少なくとも一部には、第１ネジ山２２３に対応する第２ネジ山３１１が形成されてもよい。内容器２２０の内周面と昇降部材３００の外周面との間の螺合により内容器２２０の回転時に昇降部材３００が昇降することができる。
【００４１】
回転体２００は、昇降ガイド部材４００に対して回転可能に結合してもよく、そのために外容器２１０の内側には、昇降ガイド部材４００の結合溝４１０と結合する結合突起２１３が形成されてもよい。このとき、内容器２２０は、外容器２１０よりも長さが短くてもよく、このため、昇降ガイド部材４００は、外容器２１０内における内容器２２０の上側端部によって支持されて載置されてもよい。
【００４２】
回転体２００についての前記記載は、例示的なものに過ぎず、本発明が適用される実施形態に応じて、種々の構成が回転体２００に適用可能である。例えば、回転体２００は、外容器２１０と内容器２２０とを一体化して構成されてもよい。
【００４３】
昇降部材３００は、回転体２００の回転により昇降しながら化粧料Ｃの露出を調整するためのものであり、ガイド管３１０と化粧料収容管３２０とを含んでいてもよい。
【００４４】
ガイド管３１０は、ホルダーガイド部材５００を内側に挿入するための内部空間を形成する管状のものであり、回転体２００の内容器２２０の内周面に形成された第１ネジ山２２３と螺合するために、下側の外周面に第２ネジ山３１１が形成されてもよい。第１ネジ山２２３と第２ネジ山３１１との螺合により昇降部材３００が昇降することができる。
【００４５】
回転体２００の回転時に昇降部材３００が回転することを防止して垂直方向に移動することが可能なように、昇降ガイド部材４００の貫通穴４２０を非円形（ｎｏｎ−ｃｉｒｃｕｌａｒ）に形成し、これに対応して、昇降ガイド部材４００の貫通穴４２０に挿入される昇降部材３００のガイド管３１０（特に、ガイド管３１０の外側断面）をもまた非円形に形成してもよい。すなわち、回転体２００が回転しても、回転しない昇降ガイド部材４００によって昇降部材３００もまた回転しない。これにより、回転体２００と昇降部材３００との間の螺合により昇降部材３００が昇降することが可能になる。
【００４６】
また、ガイド管３１０の下端において、ホルダーガイド部材５００の延長部５２０が挿入される貫通穴３１２を非円形に形成してもよい。このとき、これにより、挿入されるホルダーガイド部材５００の延長部５２０（特に、延長部５２０の外側断面）をもまた、貫通穴３１２の形状に対応するように非円形に形成してもよい。その結果、回転体２００の回転時にも昇降部材３００によりホルダーガイド部材５００が回転せずに固定されることが可能である。
【００４７】
化粧料収容管３２０は、ガイド管３１０から上方に延設されて、内側に化粧料Ｃ及び化粧料ホルダー１００を収容することができる。化粧料収容管３２０の上下移動によって化粧料Ｃの露出度を調整することができる。具体的には、回転体２００が一方の側に回転することによりガイド管３１０が下降すると、化粧料収容管３２０は、化粧料Ｃを外部に露出させ、これとは異なり、回転体２００が他方の側に回転することによりガイド管３１０が上昇すると、化粧料収容管３２０は、化粧料Ｃを囲みながら収容することで露出を減らすことができる。
【００４８】
昇降部材３００の内側には、昇降部材３００の上昇過程中に化粧料ホルダー１００の下端に当接して昇降部材３００の上昇を制限する制限爪３３０が形成されてもよい。
【００４９】
昇降ガイド部材４００は、回転体２００に対して回転可能に結合し、使用者によって把持された状態で、回転体２００の回転基準として動作することができる。具体的には、昇降ガイド部材４００は、回転体２００の内側（すなわち、内容器２２０の上側端部）に載置され、外周面には、回転体２００（特に、外容器２１０の内周面の結合突起２１３）に嵌合する結合溝４１０が形成されて、回転体２００に対して回転可能に結合してもよい。
【００５０】
昇降ガイド部材４００は、回転体２００の回転時に、昇降部材３００の回転を防止して昇降部材３００の垂直方向の移動をガイドすることができる。このため、昇降ガイド部材４００には、昇降部材３００が挿入されて昇降する貫通穴４２０を非円形に形成し、ガイド管３１０（特にガイド管３１０の断面）をもまた貫通穴４２０の形状と対応して非円形に形成してもよい。
【００５１】
すなわち、回転体２００が回転しても、回転基準として回転固定された昇降ガイド部材４００は、昇降部材３００の回転を防止することができ、これにより回転体２００の回転を介して昇降部材３００が昇降するように働く。
【００５２】
ホルダーガイド部材５００は、下側が回転体２００内に収容され、上側が化粧料ホルダー１００と結合して、化粧品容器内で化粧料Ｃを支持することで化粧料Ｃの位置、配置が変化せず、常に固定された状態を維持できるようにする。
【００５３】
具体的には、ホルダーガイド部材５００は、回転体２００（特に、外容器２１０）の内側底面に配置される支持部５１０と、支持部５１０から化粧品容器の長手方向に延設されて化粧料ホルダー１００と固定結合する延長部５２０と、を含んでいてもよい。
【００５４】
支持部５１０は、回転体２００の内側底面に配置され、回転体２００内でホルダーガイド部材５００を安定して支持することができる。特に、支持部５１０は、回転体２００の回転に対して独立して配置されることにより、回転体２００の回転時に、ホルダーガイド部材５００、連結された化粧料ホルダー１００および固形化粧料Ｃの回転を防ぐことができる。
【００５５】
支持部５１０は、回転体２００の外容器２１０の底面形状に対応する平板として構成されてもよく、平板状の支持部５１０が回転体２００の外容器２１０内に配置されると、回転体２００の内容器２２０が外容器２１０に結合して、内容器２２０の下側端部が支持部５１０を加圧してホルダーガイド部材５００の離脱や遊動を防止することができる。
【００５６】
延長部５２０は、支持部５１０から化粧料ホルダー１００まで延設され、昇降部材３００の内側に挿入されてもよい。延長部５２０の端部には、化粧料ホルダー１００と着脱可能に結合する結合部５３０が形成されてもよい。化粧料ホルダー１００の結合部１２０の溝に対応して、結合部５３０の外側面に、化粧品容器の長手方向に少なくとも１つの突起が形成されて嵌合することにより、ホルダーガイド部材５００に対する化粧料ホルダー１００の回転を防止することができる。
【００５７】
また、延長部５２０の断面を非円形に形成してもよい。これは、延長部５２０が挿入される昇降部材３００のガイド管３１０の貫通穴３１２の形状に対応する形状であるため、ホルダーガイド部材５００が昇降部材３００に対して回転しないように働く。したがって、回転体２００が回転しても、昇降部材３００によりホルダーガイド部材５００が回転せず、回転固定されてもよい。
【００５８】
蓋部６００は、固形化粧料Ｃ及び昇降部材３００の少なくとも一部（特に、化粧料収容管３２０）を覆いながら回転体２００に着脱可能に結合してもよい。化粧料収容管３２０の開放上端を閉じることにより、化粧料Ｃにつく異物などの汚染を防止することができる。
【００５９】
図１から図６に基づいて回転を防止するための非円形の貫通穴について説明したが、実施形態によれば、回転防止のための他の構成として、例えば、化粧品容器の長手方向に形成される突起と溝との嵌合を適用してもよい。
【００６０】
図７は、本発明の一実施形態に係る化粧品容器の動作を示す図であり、図８は、図７に示される化粧品容器の断面図である。
【００６１】
図７に示すように、昇降部材３００の化粧料収容管３２０が化粧料Ｃを囲みながら収容している状態において、昇降ガイド部材４００を片手で把持した後、回転体２００（特に、回転体２００の外容器２１０）を一方の方向に回転させると、回転体２００の内容器２２０の第１ネジ山２２３と昇降部材３００のガイド管３１０の第２ネジ山３１１との螺合により、ガイド管３１０が下降することになる。これにより、ガイド管３１０の上部に一体化された化粧料収容管３２０が一緒に下降して、化粧料Ｃが外部に露出することになる。
【００６２】
一方、昇降ガイド部材４００を片手で把持した後、回転体２００（特に、回転体２００の外容器２１０）を他方の方向に回転させると、回転体２００の内容器２２０の第１ネジ山２２３と昇降部材３００のガイド管３１０の第２ネジ山３１１との螺合により、ガイド管３１０が上昇することになる。これにより、ガイド管３１０の上部に一体化された化粧料収容管３２０が一緒に上昇して化粧料Ｃを収容し、化粧料Ｃの露出を減らすことができる。
【００６３】
このとき、ガイド管３１０は、昇降ガイド部材４００の非円形の貫通穴４２０に対応する形状に形成されているため、昇降ガイド部材４００により回転が防止され、したがって、垂直移動が可能である。
【００６４】
また、ホルダーガイド部材５００は、回転体２００（特に、回転体２００の外容器２１０）の内側底面に回転体２００とは分離して回転独立して配置され、同時に、ホルダーガイド部材５００の延長部５２０は、昇降部材３００のガイド管３１０の非円形の貫通穴３１２に対応する形状に形成されているため、昇降部材３００によって回転防止できる。すなわち、回転体２００が回転しても、ホルダーガイド部材５００の回転を阻止することができる。また、ホルダーガイド部材５００は、ホルダーガイド部材５００に対する化粧料ホルダー１００の回転を防止することができる。
【００６５】
これにより、化粧品容器の回転体２００のみが回転し、他の構成要素（例えば、昇降部材３００、化粧料ホルダー１００、ホルダーガイド部材５００など）が回転体２００の回転と連動することを防止することができる。したがって、化粧料Ｃが固定されることで容器内により安定して配置されることになり、図示のように、化粧料Ｃの端部及び昇降ガイド部材４００の端部にそれぞれ対応するように形成された傾斜面がずれることを防ぐことができる。
【００６６】
以上のように、図面及び明細書に最適な実施形態が開示された。ここで、特定の用語が使用されたが、これは単に本発明を説明するための目的で使用されたものに過ぎず、意味を限定したり、特許請求の範囲に記載の本発明の範囲を制限したりするために使用されたものではない。よって、本技術分野において通常の知識を有する者であれば、これから種々の変形及び均等な他の実施形態が可能であるということが理解できる筈である。よって、本発明の真の技術的な保護範囲は、添付の特許請求の範囲の技術的な思想によって定められるべきである。
【図１】
2021522947.tif 000003
【図２】
2021522947.tif 000004
【図３】
2021522947.tif 000005
【図４】
2021522947.tif 000006
【図５】
2021522947.tif 000007
【図６】
2021522947.tif 000008
【図７】
2021522947.tif 000009
【図８】
2021522947.tif 000010
【国際調査報告】
2021522947.tif 000011
2021522947.tif 000012
2021522947.tif 000013
2021522947.tif 000014